(57)【要約】【課題】本発明は、回動軸によって接続される２つの部材の間の角度を自動的に調節することができる折畳式電子装置及びその折畳角度制御方法を提供することを目的とする。【解決手段】本発明の折畳式電子装置は、第一部材、第二部材、回動部材、パワーボタン及び制御ユニットを備え、前記第一部材及び前記第二部材は、前記回動部材によって相対的に回動可能に接続され、前記パワーボタンを操作してパワーオン信号を生成し、前記パワーボタンを操作するか又はソフトオフしてパワーオフ信号を生成し、前記制御ユニットは、前記パワーオン信号を受信すると、前記第一部材と前記第二部材との間の角度が第一角度になるようにし、前記パワーオフ信号を受信すると、前記第一部材と前記第二部材との間の角度が第二角度になるようにする。本発明は、折畳式電子装置の折畳角度制御方法も提供する。【選択図】図１
2012033166.tif 000002
【特許請求の範囲】
【請求項１】
第一部材、第二部材、回動部材及びパワーボタンを備え、前記第一部材及び前記第二部材は、前記回動部材によって相対的に回動可能に接続され、前記パワーボタンを操作してパワーオン信号を生成し、前記パワーボタンを操作するか又はソフトオフしてパワーオフ信号を生成する折畳式電子装置であって、
前記パワーオン信号を受信すると、前記第一部材と前記第二部材との間の角度が第一角度になるようにし、前記パワーオフ信号を受信すると、前記第一部材と前記第二部材との間の角度が第二角度になるようにする制御ユニットをさらに備えることを特徴とする折畳式電子装置。
【請求項２】
前記折畳式電子装置は、検出ユニット、駆動ユニット及び回動ユニットをさらに備え、
前記制御ユニットは、前記パワーオン信号又は前記パワーオフ信号を受信すると、前記検出ユニットに検出指令を送信し、
前記検出ユニットは、前記検出指令を受信すると、前記第一部材と前記第二部材との間の現時角度を検出し、且つこの現時角度に関する情報を前記制御ユニットに送信し、
前記制御ユニットは、前記第一角度又は前記第二角度と前記現時角度との差値に基づいて、前記駆動ユニットを制御して前記回動ユニットに対応する大きさの駆動力を印加し、前記接続部材は前記回動ユニットに連動して回動することにより、前記現時角度の大きさを調節して、前記第一部材と前記第二部材との間の角度が前記第一角度又は前記第二角度になることを特徴とする請求項１に記載の折畳式電子装置。
【請求項３】
前記折畳式電子装置は、感知ユニットをさらに備え、
前記感知ユニットは、ユーザーの入力操作を感知した場合、前記制御ユニットに感知信号を送信し、
前記制御ユニットは、前記感知信号を受信すると、前記検出ユニットに検出指令を送信し、
前記検出ユニットは、前記検出指令を受信すると、前記第一部材と前記第二部材との間の現時角度を検出し、且つこの現時角度に関する情報を前記制御ユニットに送信し、
前記制御ユニットは、１つの予定角度と前記現時角度とを比較して、前記現時角度が前記予定角度より小さい場合、前記第一部材と前記第二部材との間の角度が前記第一角度になるようにし、前記現時角度が前記予定角度より大きい場合、前記第一部材と前記第二部材との間の角度が前記第二角度になるようにすることを特徴とする請求項２に記載の折畳式電子装置。
【請求項４】
前記感知ユニットは、ユーザーの物理的押圧を感知する普通の機械ボタン又はタッチボタンであるか、それとも赤外線センサー又は光センサーであることを特徴とする請求項３に記載の折畳式電子装置。
【請求項５】
前記第一部材は操作部を備える本体部であり、前記第二部材は表示部を備える表示装置又は機能素子を備えないカバーであることを特徴とする請求項１に記載の折畳式電子装置。
【請求項６】
回動部材によって相対的に回動可能に接続される第一部材及び第二部材を備える折畳式電子装置の折畳角度制御方法であって、
前記折畳式電子装置がパワーオンするパワーオン信号を検出すると、前記第一部材と前記第二部材との間の角度が第一角度になるように制御するステップと、
前記折畳式電子装置がパワーオフするパワーオフ信号を検出すると、前記第一部材と前記第二部材との間の角度が第二角度になるように制御するステップと、
を備えることを特徴とする折畳式電子装置の折畳角度制御方法。
【請求項７】
前記折畳式電子装置は感知ユニットをさらに備え、前記折畳式電子装置の折畳角度制御方法は、
前記折畳式電子装置がパワーオン状態になり、前記感知ユニットがユーザーの操作を感知する際、前記第一部材と前記第二部材との間の現時角度を検出するステップと、
前記現時角度が予定角度より大きいかどうかを判断するステップと、
前記現時角度が前記予定角度より大きければ、前記第一部材と前記第二部材との間の角度が前記第二角度になるように制御するステップと、
前記現時角度が前記予定角度より大きくなければ、前記第一部材と前記第二部材との間の角度が前記第一角度になるように制御するステップと、
をさらに備えることを特徴とする請求項６に記載の折畳式電子装置の折畳角度制御方法。
【発明の詳細な説明】
【技術分野】
【０００１】
本発明は、折畳式電子装置及びその折畳角度制御方法に関するものである。
【背景技術】
【０００２】
ノートパソコン、ＤＶＤプレーヤーなどの折畳式電子装置は、本体部と、回動軸によって本体部に回動可能に装着されるＬＣＤ表示装置とを備える。折畳式電子装置を使用する際、ユーザーはＬＣＤ表示装置と本体部との間の角度を手動で調節しなければならないので、面倒である。
【発明の概要】
【発明が解決しようとする課題】
【０００３】
本発明の目的は、前記課題を解決し、回動軸によって接続される２つの部材の間の角度を自動的に調節することができる折畳式電子装置及びその折畳角度制御方法を提供することである。
【課題を解決するための手段】
【０００４】
本発明に係る折畳式電子装置は、第一部材、第二部材、回動部材、パワーボタン及び制御ユニットを備え、前記第一部材及び前記第二部材は、前記回動部材によって相対的に回動可能に接続され、前記パワーボタンを操作してパワーオン信号を生成し、前記パワーボタンを操作するか又はソフトオフしてパワーオフ信号を生成し、前記制御ユニットは、前記パワーオン信号を受信すると、前記第一部材と前記第二部材との間の角度が第一角度になるようにし、前記パワーオフ信号を受信すると、前記第一部材と前記第二部材との間の角度が第二角度になるようにする。
【０００５】
本発明に係る折畳式電子装置の折畳角度制御方法は、回動部材によって相対的に回動可能に接続される第一部材及び第二部材を備える折畳式電子装置の折畳角度制御方法であって、前記折畳式電子装置がパワーオンするパワーオン信号を検出すると、前記第一部材と前記第二部材との間の角度が第一角度になるように制御するステップと、前記折畳式電子装置がパワーオフするパワーオフ信号を検出すると、前記第一部材と前記第二部材との間の角度が第二角度になるように制御するステップと、を備える。
【発明の効果】
【０００６】
本発明の折畳式電子装置は、回動軸によって接続される２つの部材の間の角度を自動的に調節することができる。
【図面の簡単な説明】
【０００７】
【図１】本発明の実施形態に係る折畳式電子装置の構造を示す図である。
【図２】本発明の実施形態に係る折畳式電子装置の折畳角度制御原理図である。
【図３】本発明の実施形態に係る折畳式電子装置の折畳角度制御方法のフローチャートである。
【発明を実施するための形態】
【０００８】
以下、図面を参照して、本発明の実施形態について説明する。
【０００９】
図１を参照すると、本発明の実施形態に係る折畳式電子装置１は、第一部材１０と、第二部材２０と、接続部材３０と、パワーボタン４０と、を備える。前記第一部材１０及び前記第二部材２０は前記接続部材３０によって接続されており、前記折畳式電子装置１は、前記接続部材３０の回動によって、前記第一部材１０と前記第二部材２０との間の角度を調節することができる。前記パワーボタン４０を操作すると、パワーオン信号又はパワーオフ信号が生成され、前記折畳式電子装置１はパワーオン状態又はパワーオフ状態になる。
【００１０】
前記折畳式電子装置１は、相対的に回動できる２つのケースを備える電子装置であって、前記第一部材１０及び前記第二部材２０は、前記折畳式電子装置１の２つのケースである。本実施形態において、前記折畳式電子装置１は、回動軸によって接続される本体部及び表示装置を備える電子装置であって、例えば、ＤＶＤプレーヤー、ノートパソコン、電子書籍などであり、前記第一部材１０は、操作部を備える本体部であり、前記第二部材２０は、ＬＣＤ表示部又は電子ペーパー表示部を備える表示装置であり、前記接続部材３０は、回動軸である。他の実施形態において、前記第一部材１０及び前記第二部材２０の中の一方は、機能素子を備えなく、例えば、前記第一部材１０は単なる上カバーである。
【００１１】
図２を参照すると、前記折畳式電子装置１は、制御ユニット５０１を備える。前記制御ユニット５０１は、前記パワーボタン４０の操作によって生成されるパワーオン信号又はパワーオフ信号を受信すると、前記第一部材１０と前記第二部材２０との間の角度が第一角度又は第二角度になるようにする。本実施形態において、ユーザーが開始メニューから「パワーオフ」を選択してクリックするか、又は「ソフトウェアをダウンロードしてからパワーオフする」選択してクリックすることにより、ソフトオフしても、同様にパワーオフ信号が生成され、前記制御ユニット５０１は、このパワーオフ信号を受信すると、前記第一部材１０と前記第二部材２０との間の角度が第二角度になるようにする。前記第一角度は、前記折畳式電子装置１が開放観覧状態になる際の、前記第一部材１０と前記第二部材２０との間の角度であり、例えば、１０５度である。前記第二角度は、前記折畳式電子装置１が閉塞重合状態になる際の、前記第一部材１０と前記第二部材２０との間の角度であり、例えば、０度である。
【００１２】
前記折畳式電子装置１は、検出ユニット５０２、駆動ユニット５０３及び回動ユニット５０４をさらに備える。前記検出ユニット５０２は、前記第一部材１０と前記第二部材２０との間の角度を検出するために用いられる。前記駆動ユニット５０３は、前記制御ユニット５０１からの制御信号を受信すると、前記回動ユニット５０４を駆動して回動させ、前記接続部材３０は前記回動ユニット５０４に連動して回動する。前記制御ユニット５０１は、前記パワーボタン４０の操作によって生成されるパワーオン信号又はパワーオフ信号を受信すると、前記検出ユニット５０２に検出指令を送信する。前記検出ユニット５０２は、前記検出指令を受信すると、前記第一部材１０と前記第二部材２０との間の現時角度を検出し、且つこの現時角度に関する情報を前記制御ユニット５０１に送信する。前記制御ユニット５０１は、前記第一角度又は前記第二角度と前記現時角度とを比較して、前記第一角度又は前記第二角度と前記現時角度との差値を獲得し、且つこの角度差値に基づいて前記駆動ユニット５０３を制御して前記回動ユニット５０４に対応する大きさの駆動力を印加し、前記接続部材３０は前記回動ユニット５０４に連動して回動することにより、前記現時角度の大きさを調節して、前記第一部材１０と前記第二部材２０との間の角度が前記第一角度又は前記第二角度になるようにする。本実施形態において、前記検出方式は、赤外線走査方式によって前記第一部材及び前記第二部材の指定した２つの点の間の距離を検出して、前記第一部材１０と前記第二部材２０との間の現時角度を計算する。他の実施形態において、前記検出方式は、他の方式を採用することができる。
【００１３】
本実施形態において、前記折畳式電子装置１は、ユーザーの入力操作を感知するために用いられる感知ユニット５０５をさらに備える。前記感知ユニット５０５は、ユーザーの入力操作を感知した場合、前記制御ユニット５０１に感知信号を送信する。前記制御ユニット５０１は、前記感知信号を受信すると、前記検出ユニット５０２に検出指令を送信する。前記検出ユニット５０２は、前記検出指令を受信すると、前記第一部材１０と前記第二部材２０との間の現時角度を検出し、且つこの現時角度に関する情報を前記制御ユニット５０１に送信する。前記制御ユニット５０１は、１つの予定角度と前記現時角度とを比較して、前記現時角度が前記予定角度より小さい場合、前記駆動ユニット５０３を制御して前記回動ユニット５０４に対応する大きさの駆動力を印加し、前記接続部材３０は前記回動ユニット５０４に連動して回動することにより、前記現時角度の大きさを調節して、前記第一部材１０と前記第二部材２０との間の角度が前記第一角度なるようにし、前記現時角度が前記予定角度より大きい場合、前記第一部材１０と前記第二部材２０との間の角度が前記第二角度になるようにする。例えば、前記予定角度を４５度に設定した場合、前記現時角度が４５度より小さいと、ユーザーが前記折畳式電子装置１を使用しないことを意味し、この時、前記制御ユニット５０１が前記感知ユニット５０５からの感知信号を受信すると、前記第一部材１０と前記第二部材２０との間の角度が前記第一角度になるように制御して、前記折畳式電子装置１が開放観覧状態になるようにし、逆に、前記現時角度が４５度より大きい時、前記制御ユニット５０１が前記感知ユニット５０５からの感知信号を受信すると、前記第一部材１０と前記第二部材２０との間の角度が前記第二角度になるように制御して、前記折畳式電子装置１が閉塞重合状態になるようにする。上記したように、ユーザーがパワーオン状態の前記折畳式電子装置１を使用せず且つパワーオフしたくない場合、前記感知ユニット５０５によって感知信号を入力して、前記折畳式電子装置１の第一部材１０と第二部材２０との間の角度を前記第二角度に調整し、前記折畳式電子装置１を続いて使用する場合、再び前記感知ユニット５０５によって感知信号を入力して、前記折畳式電子装置１の第一部材１０と第二部材２０との間の角度を前記第一角度に調整する。
【００１４】
本実施形態において、前記感知ユニット５０５は、普通の機械ボタン又はタッチボタンであることができ、ユーザーの物理的押圧を感知するために用いられる。他の実施形態において、前記感知ユニット５０５は、赤外線センサー又は光センサーであることができ、例えば、前記赤外線センサー又は前記光センサーは感知領域であり、ユーザーが手で前記感知領域を遮ると、感知信号を生成する。前記感知ユニット５０５は、前記折畳式電子装置１の外表面に設置されて、ユーザーが便利に操作することができる。感知の正確性を高めるために、前記制御ユニット５０１に感知持続時間を設定することができ、前記感知持続時間内で前記制御ユニット５０１が前記感知ユニット５０５からの感知信号を持続的に受信すると、前記制御ユニット５０１は対応する操作を行う。
【００１５】
本実施形態において、前記接続部材３０によって、前記第一部材１０と前記第二部材２０との間の角度を手動的に調節することができる。
【００１６】
図３は、本発明の実施形態に係る折畳式電子装置の折畳角度制御方法のフローチャートである。ステップＳ３０１において、前記制御ユニット５０１はパワーオン信号又はパワーオフ信号を受信する。ステップＳ３０２において、前記制御ユニット５０１は、パワーオン信号を受信すると、前記第一部材１０と前記第二部材２０との間の角度が前記第一角度になるようにする。ステップＳ３０３において、前記制御ユニット５０１は、パワーオフ信号を受信すると、前記第一部材１０と前記第二部材２０との間の角度が前記第二角度になるようにして、制御を終了する。
【００１７】
前記折畳式電子装置１は、ユーザーの手動的な調節によって、前記第一部材１０と前記第二部材２０との間の角度を所望の角度に調節する。ステップＳ３０４において、前記折畳式電子装置１がパワーオン状態になる場合、前記感知ユニット５０５がユーザーの操作を感知すると、前記制御ユニット５０１の制御によって、前記検出ユニット５０２は前記第一部材１０と前記第二部材２０との間の現時角度を検出する。具体的に説明すると、前記感知ユニット５０５は、前記制御ユニット５０１に感知信号を送信し、前記制御ユニット５０１は、前記感知信号を受信すると前記検出ユニット５０２に検出指令を送信し、前記検出ユニット５０２は、前記検出指令を受信すると前記第一部材１０と前記第二部材２０との間の現時角度を検出し且つこの現時角度に関する情報を前記制御ユニット５０１に送信する。
【００１８】
ステップＳ３０５において、前記制御ユニット５０１は、前記現時角度が予定角度より大きいかどうかを判断する。前記現時角度が前記予定角度より大きければ、ステップＳ３０３に戻り、即ち前記制御ユニット５０１は前記第一部材１０と前記第二部材２０との間の角度が第二角度になるようにして、制御を終了する。前記現時角度が前記予定角度より大きくなければ、ステップＳ３０２に戻り、即ち前記制御ユニット５０１は前記第一部材１０と前記第二部材２０との間の角度が第一角度になるようにする。
【００１９】
前記予定角度は、ユーザーが設定した角度であり、前記折畳式電子装置１の第一部材１０と第二部材２０との間の角度と比較するために用いられ、従って前記折畳式電子装置１の状態を判断して、ユーザーが前記折畳式電子装置１を再び使用するか、それとも前記折畳式電子装置１を使用したくないかを判断して、前記第一部材１０と前記第二部材２０との間の角度を前記第一角度又は前記第二角度に調整する。前記予定角度は、４５度に設定することができる。
【００２０】
本発明の折畳式電子装置において、制御ユニットを介して、回動軸によって接続される２つの部材の間の角度を自動的に調節することができる。
【００２１】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、添付の特許請求の範囲から決まる。
【符号の説明】
【００２２】
１  折畳式電子装置
１０  第一部材
２０  第二部材
３０  接続部材
４０  パワーボタン
５０１  制御ユニット
５０２  検出ユニット
５０３  駆動ユニット
５０４  回動ユニット
５０５  感知ユニット
【図１】
2012033166.tif 000003
【図２】
2012033166.tif 000004
【図３】
2012033166.tif 000005